(57)【要約】      （修正有）【課題】合理的な構造、多機能、また操作が簡単、電池着脱が可能な、抜差式電池付多機能車載用冷蔵庫を提供する。【解決手段】抜差式電池付多機能車載用冷蔵庫は、冷蔵庫庫体と、冷蔵庫庫体の上部に開蓋可能に設けられる庫蓋とを含み、さらに冷蔵庫庫体内に並設される冷藏室１２および冷凍室１１を含み、冷蔵庫庫体の一方側の底部にコンプレッサー２０が取付けられており、さらに、冷蔵庫庫体の底部の一方側の端部に設けられるローラと、冷蔵庫庫体の他方側の端部に設けられ、延縮可能に構成される引きロッドとを含み、冷蔵庫庫体の一方側の側壁に電池室１０が設置され、電池室１０の中に電池５が挿入可能に設置されており、電池５は、電池箱体と、電池箱体の上端に位置される電池蓋とを含む。電池室１０内に導電ソケット９が設置され、導電ソケット９と電池箱体の一側の導電プラグとが相互に挿接される。【選択図】図４
0003232572.tif 000002
【実用新案登録請求の範囲】
【請求項１】
抜差式電池付多機能車載用冷蔵庫であって、
冷蔵庫庫体１と、冷蔵庫庫体１の上部に開蓋可能に設けられる庫蓋２とを含み、さらに冷
蔵庫庫体１内に並設される冷藏室１２および冷凍室１１を含み、前記冷蔵庫庫体１の一方
側の底部にコンプレッサー２０が取付けられており、
さらに、冷蔵庫庫体１の底部の一方側の端部に設けられるローラ７と、冷蔵庫庫体１の他
方側の端部に設けられ、延縮可能に構成される引きロッド３と、を含み、
前記冷蔵庫庫体１の一方側の側壁に電池室１０が設置され、前記電池室１０の中に電池５
が挿入可能に設置されており、前記電池５は、電池箱体５１と、電池箱体５１の上端に位
置する電池蓋５２とを含み、前記電池蓋５２の両端に横方向に移動可能なバックル５３が
対称的に設置され、前記バックル５３の両端が電池蓋５２の端部から延出し、前記バック
ル５３の中部が電池蓋５２の外側に露出しており、両側のバックル５３同士は、弾性手段
５７を介して接続され、前記弾性手段５７は、電池蓋５２裏側の止め溝５９内に位置して
おり、前記電池室１０内に導電ソケット９が設置され、前記導電ソケット９と電池箱体５
１の一側の導電プラグとが相互に挿接される、ことを特徴とする抜差式電池付多機能車載
用冷蔵庫。
【請求項２】
前記バックル５３の裏側における弾性手段５７に対応する位置に接続溝５８が設置されて
おり、前記接続溝５８の端部に弾性接続材５１０が設置されている、ことを特徴とする請
求項１に記載の抜差式電池付多機能車載用冷蔵庫。
【請求項３】
前記電池蓋５２にスイッチボタン５４が取付けられ、前記スイッチボタン５４の一側に電
力指示ライト５５および状態指示ライト５６が設置されており、前記スイッチボタン５４
、電力指示ライト５５および状態指示ライト５６はいずれも電池蓋５２の裏側にある制御
回路ボートに接続されている、ことを特徴とする請求項１に記載の抜差式電池付多機能車
載用冷蔵庫。
【請求項４】
前記冷蔵庫庫体１の両側にそれぞれ一対の引きロッド付け座１８が取付けられており、同
一側の引きロッド付け座１８間に引きロッド固定管１７が介在し、前記引きロッド固定管
１７の内部に軸方向に移動可能な引きロッド内管３６が取付けられており、両本の引きロ
ッド内管３６の一端同士は引きロッド３を介して接続され、前記引きロッド内管３６の引
きロッド３に接続される一端に軸方向に沿って可動プラグが挿入配置され、前記可動プラ
グ３８の外側端に引きロッド３の側壁に取付けられる解錠ボタン１９が設置され、該解錠
ボタン１９は回転させながら可動プラグ３８を軸方向に移動させ、前記引きロッド内管３
６の他端に固定プラグ３９が取付けられ、前記固定プラグ３９の内部に径方向に移動可能
にスプリングボルト３１３が設置され、前記スプリングボルト３１３の一端にばね３１２
が取付けられ、またその他端が引きロッド固定管１７の側壁のロック穴中に挿入し、前記
固定プラグ３９の中に軸方向に移動可能に解錠押しピン３１１が設置され、前記解錠押し
ピン３１１の一端は斜面を有し、スプリングボルト３１３の中部に挿入し、スプリングボ
ルト３１３を径方向に移動させ、前記解錠押しピン３１１の他端が接続軸３７を介して可
動プラグ３８に接続されている、ことを特徴とする請求項１に記載の抜差式電池付多機能
車載用冷蔵庫。
【請求項５】
前記解錠押しピン３１１に長尺状止め穴３１０が設置され、前記固定プラグ３９内の凸点
が長尺状止め穴３１０中に嵌入されるように構成される、ことを特徴とする請求項４に記
載の抜差式電池付多機能車載用冷蔵庫。
【請求項６】
前記庫蓋２の裏側壁に少なくとも１つの凹溝２２が設置され、前記凹溝２２内に果物切り
板２７が取外可能に嵌入設置され、前記凹溝２２の一端に回動バッフル２３が取り付けら
れ、前記凹溝２２の他端の側壁に凸板２６が設置され、前記果物切り板２７の両端が回動
バッフル２３と凸板２６によって凹溝２２内において位置が限定され、前記凹溝２２の裏
側底面に突起ブロック２５が均一に配置される、ことを特徴とする請求項１に記載の抜差
式電池付多機能車載用冷蔵庫。
【請求項７】
前記冷蔵庫庫体１におけるローラ７のない一端の底部に隅保護板１６が取り付けられ、前
記隅保護板１６の裏側位置に横方向に隅保護凸台３５が設置され、前記隅保護凸台３５の
両側に斜面が配置されている、ことを特徴とする請求項１に記載の抜差式電池付多機能車
載用冷蔵庫。
【請求項８】
前記庫蓋２の両端一側に回転軸２８が対称的に設置され、庫蓋２における回転軸２８と反
対側の中間部に反転スナップ蓋８が取り付けられ、前記反転スナップ蓋８が冷蔵庫庫体１
の上側の縁部にスナップ接続可能に構成され、前記冷蔵庫庫体１の上部両側の裏側壁両端
にそれぞれ差し縦溝１４が設置され、前記差し縦溝１４の底部に円状溝１５が設置され、
前記回転軸２８のいずれか一端を差し縦溝１４に挿入して差し縦溝１４に沿って円状溝１
５中に挿入嵌合する、ことを特徴とする請求項１に記載の抜差式電池付多機能車載用冷蔵
庫。
【請求項９】
前記冷蔵庫庫体１の一側における電池室１０の下方に少なくともの２種類の電源ソケット
６が取り付けられている、ことを特徴とする請求項１に記載の抜差式電池付多機能車載用
冷蔵庫。
【請求項１０】
前記冷藏室１２および／または冷凍室１１の内部に物置ブラケット１３が取り付けられて
いる、ことを特徴とする請求項１に記載の抜差式電池付多機能車載用冷蔵庫。
【考案の詳細な説明】
【技術分野】
【０００１】
本発明は、車載用冷蔵庫の分野に関し、特に、抜差式電池付多機能車載用冷蔵庫である。
【背景技術】
【０００２】
人々の生活水準が高くなるにつれて、車で外に遊びに行く時に車に冷蔵庫を置く人が増え
てきました。車載用冷蔵庫を継続して動作させるために、車載用冷蔵庫は通常、電源を持
っています。現在の車載用冷蔵庫の電源は取り外しができないものが多いです。電源ケー
ブルを経由してしか充電できないので、使いにくいです。
【０００３】
現在は市場上にも取り外せる車載用冷蔵庫の電池があります。しかし、その構造は複雑で
す。使用されるスプリングが多くて、停止することが多く、コストが高いです。
【０００４】
そして今は多くの車の冷蔵庫にレバーが取り付けられています。車載冷蔵庫の移動に便利
です。レバーは一般的に内外のチューブを使って伸び縮みする構造です。現在のレバーは
ロック解除構造はありません。使用中にレバーは自分で伸びる可能性があります。伸ばし
たレバーは衝突で破損する恐れがあります。
【０００５】
現在の車載用冷蔵庫は機能が単一で、現在の顧客の需要を満たすことができません。
【考案の概要】
【０００６】
本考案が提供する抜差式電池付多機能車載用冷蔵庫は、構造が合理的で、機能が多様で、
電池の着脱が可能で、レバーの調整が便利で合理的である。
【０００７】
上記の目的を実現するために、抜差式電池付多機能車載用冷蔵庫は、冷蔵庫庫体１と、冷
蔵庫庫体１の上部に開蓋可能に設けられる庫蓋２とを含み、さらに冷蔵庫庫体１内に並設
される冷藏室１２および冷凍室１１を含み、前記冷蔵庫庫体１の一方側の底部にコンプレ
ッサー２０が取付けられており、
さらに、冷蔵庫庫体１の底部の一方側の端部に設けられるローラ７と、冷蔵庫庫体１の他
方側の端部に設けられ、延縮可能に構成される引きロッド３とを含み、
前記冷蔵庫庫体１の一方側の側壁に電池室１０が設置され、前記電池室１０の中に電池５
が挿入可能に設置されており、前記電池５は、電池箱体５１と、電池箱体５１の上端に位
置される電池蓋５２とを含み、前記電池蓋５２の両端に横方向に移動可能なバックル５３
が対称的に設置され、前記バックル５３の両端が電池蓋５２の端部から延出し、前記バッ
クル５３の中部が電池蓋５２の外側に露出しており、両側のバックル５３同士は、弾性手
段５７を介して接続され、前記弾性手段５７は、電池蓋５２裏側の止め溝５９内に位置し
ており、前記電池室１０内に導電ソケット９が設置され、前記導電ソケット９と電池箱体
５１の一側の導電プラグとが相互に挿接される。
【０００８】
好ましくは、前記バックル５３の裏側における弾性手段５７に対応する位置に接続溝５８
が設置されており、前記接続溝５８の端部に弾性接続材５１０が設置されている。
【０００９】
好ましくは、前記電池蓋５２にスイッチボタン５４が取付けられ、前記スイッチボタン５
４の一側に電力指示ライト５５および状態指示ライト５６が設置されており、前記スイッ
チボタン５４、電力指示ライト５５および状態指示ライト５６はいずれも電池蓋５２の裏
側にある制御回路ボートに接続されている。
【００１０】
好ましくは、前記冷蔵庫庫体１の両側にそれぞれ一対の引きロッド付け座１８が取付けら
れており、同一側の引きロッド付け座１８間に引きロッド固定管１７が介在し、前記引き
ロッド固定管１７の内部に軸方向に移動可能な引きロッド内管３６が取付けられており、
両本の引きロッド内管３６の一端同士は引きロッド３を介して接続され、前記引きロッド
内管３６の引きロッド３に接続される一端に軸方向に沿って可動プラグが挿入配置され、
前記可動プラグ３８の外側端に引きロッド３の側壁に取付けられる解錠ボタン１９が設置
され、該解錠ボタン１９は回転させながら可動プラグ３８を軸方向に移動させ、前記引き
ロッド内管３６の他端に固定プラグ３９が取付けられ、前記固定プラグ３９の内部に径方
向に移動可能にスプリングボルト３１３が設置され、前記スプリングボルト３１３の一端
にばね３１２が取付けられ、またその他端が引きロッド固定管１７の側壁のロック穴中に
挿入し、前記固定プラグ３９の中に軸方向に移動可能に解錠押しピン３１１が設置され、
前記解錠押しピン３１１の一端は斜面を有し、スプリングボルト３１３の中部に挿入し、
スプリングボルト３１３を径方向に移動させ、前記解錠押しピン３１１の他端が接続軸３
７を介して可動プラグ３８に接続されている。
【００１１】
好ましくは、前記解錠押しピン３１１に長尺状止め穴３１０が設置され、前記固定プラグ
３９内の凸点が長尺状止め穴３１０中に嵌入されるように構成される。
【００１２】
好ましくは、前記庫蓋２の裏側壁に少なくとも１つの凹溝２２が設置され、前記凹溝２２
内に果物切り板２７が取外可能に嵌入設置され、前記凹溝２２の一端に回動バッフル２３
が取り付けられ、前記凹溝２２の他端の側壁に凸板２６が設置され、前記果物切り板２７
の両端が回動バッフル２３と凸板２６によって凹溝２２内において位置が限定され、前記
凹溝２２の裏側底面に突起ブロック２５が均一に配置される。
【００１３】
好ましくは、前記冷蔵庫庫体１におけるローラ７のない一端の底部に隅保護板１６が取り
付けられ、前記隅保護板１６の裏側位置に横方向に隅保護凸台３５が設置され、前記隅保
護凸台３５の両側に斜面が配置されている。
【００１４】
好ましくは、前記庫蓋２の両端一側に回転軸２８が対称的に設置され、庫蓋２における回
転軸２８と反対側の中間部に反転スナップ蓋８が取り付けられ、前記反転スナップ蓋８が
冷蔵庫庫体１の上側の縁部にスナップ接続可能に構成され、前記冷蔵庫庫体１の上部両側
の裏側壁両端にそれぞれ差し縦溝１４が設置され、前記差し縦溝１４の底部に円状溝１５
が設置され、前記回転軸２８のいずれか一端を差し縦溝１４に挿入して差し縦溝１４に沿
って円状溝１５中に挿入嵌合する。
【００１５】
好ましくは、前記冷蔵庫庫体１の一側における電池室１０の下方に少なくともの２種類の
電源ソケット６が取り付けられている。
【００１６】
好ましくは、前記冷藏室１２および／または冷凍室１１の内部に物置ブラケット１３が取
り付けられている。
【００１７】
本実用新案の有益な効果は、以下の通りである。合理的な構造、多機能、また操作が簡単
、電池着脱が可能な、抜差式電池付多機能車載用冷蔵庫を提供する。電池は、位置が限定
される弾性手段構成とするので、バックル移動や弾性手段付勢のときに、ずれることがな
く、係止めが防がれる。また解錠手段が備えられるので、引きロッドは、引っ込める状態
を維持でき、自ら延出を避け、自己保護ができる。なお果物切り板も付けてるので、アウ
トドアや車内の場合は果物や他の食べ物をカットすることには、快適に応じられる。別途
に果物切り板を携帯する必要がないとともに、車載用冷蔵庫の使用を邪魔せず、便利に使
用される。
【図面の簡単な説明】
【００１８】
【図１】本考案の立体構造の概略図である。
【図２】本考案の局所構造斜視図である。
【図３】本考案の主視構成図である。
【図４】本考案の主視半断面構造図である。
【図５】図２のＡにおける部分的な拡大構造図である。
【図６】図４のＣにおける部分的な拡大構造図である。
【図７】本考案の電池の立体構造図である。
【図８】本考案の電池の局所構成図である。
【図９】本考案のロッドの半断面構造図である。
【図１０】図９のＢにおける拡大構造図である。
【図１１】本考案の庫蓋の斜視図である。
【図１２】本考案の庫蓋の側面視断面構造図である。
【図１３】本考案の表示器の原理図である。
【図１４】本考案の充電管理ボードの太陽エネルギー管理部分の原理図である。
【図１５】本考案の充電管理ボードのリチウム電池管理部の原理図である。
【図１６】本考案の制御ボードの原理図である。
【考案を実施するための形態】
【００１９】
以下、本考案の実施形態について、図面とともに、本考案の実施形態における技術的な態
様を明確にし、完全に説明する。説明した実施形態は、全ての実施形態ではなく、本考案
の一部の実施形態にすぎないことは明らかである。本考案の実施例に基づいて、当業者は
、創造的な労働がなされていない前提で取得される他のすべての実施形態は、本考案の保
護の範囲に属する。
【００２０】
図１〜１６は、本考案にかかる抜差式電池付多機能車載用冷蔵庫を示している。冷蔵庫庫
体１と、冷蔵庫庫体１の上部に開蓋可能に設けられる庫蓋２とを含む。さらに、冷蔵庫庫
体１内に並設される冷藏室１２および冷凍室１１を含む。前記冷蔵庫庫体１の一方側の底
部にコンプレッサー２０が取付けられている。
【００２１】
さらに、冷蔵庫庫体１の底部の一方側の端部に設けられるローラ７と、冷蔵庫庫体１の他
方側の端部に設けられ、延縮可能に構成される引きロッド３とをさらに含む。
【００２２】
前記冷蔵庫庫体１の一方側の側壁に電池室１０が設置され、前記電池室１０の中に電池５
が挿入可能に設置されている。前記電池５は、電池箱体５１と、電池箱体５１の上端に位
置される電池蓋５２とを含む。前記電池蓋５２の両端に横方向に移動可能なバックル５３
が対称的に設置され、前記バックル５３の両端が電池蓋５２の端部から延出し、前記バッ
クル５３の中部が電池蓋５２の外側に露出している。両側のバックル５３同士は、弾性手
段５７を介して接続される。前記弾性手段５７は、電池蓋５２裏側の止め溝５９内に位置
している。前記電池室１０内に導電ソケット９が設置され、前記導電ソケット９と電池箱
体５１の一側の導電プラグとが相互に挿接される。
【００２３】
冷蔵庫庫体１の上側に、表示器と、およびそれに接続され、冷蔵庫全体をコントロールす
る制御ボートとが設置されている。
【００２４】
両側のバックル５３は、動かれれば（移動操作すれば）、バックル５３における両端から
延出した部分が車載用冷蔵庫から脱離するようにできる。一方、解放すれば、弾性手段５
７の付勢によりバックル５３が自動的に復帰するようにできる。
【００２５】
止め溝５９は、弾性手段５７の位置を限定するように働いている。それによって両側のバ
ックル３の安定的復帰を確保でき、係止めなどの不都合が防止される。
【００２６】
前記バックル５３の裏側における弾性手段５７に対応する位置に接続溝５８が設置されて
いる。前記接続溝５８の端部に弾性接続材５１０が設置され、前記弾性手段５７はばねで
ある。前記弾性接続材５１０は、差し板と、差し板の端部に設けられるばね差し軸とを含
む。
【００２７】
ばね差し軸は、ばねにて差し板側へ挿設可能である。ばね差し軸は、軸方向に沿ってばね
内に挿入できるように構成される。これによってばねは端部が固定され、付勢されると、
均一に力を受けられる。
【００２８】
前記電池蓋５２にスイッチボタン５４が取付けられ、前記スイッチボタン５４の一側に電
力指示ライト５５および状態指示ライト５６が設置されている。前記スイッチボタン５４
、電力指示ライト５５および状態指示ライト５６はいずれも電池蓋５２の裏側にある制御
回路ボートに接続されている。このようにして、電池と車載用冷蔵庫の組立および分体が
容易に行われ得る。電池は、アウトドアのための臨時使用に供することができる。
【００２９】
前記冷蔵庫庫体１の両側にそれぞれ一対の引きロッド付け座１８が取付けられている。同
一側の引きロッド付け座１８間に引きロッド固定管１７が介在されている。前記引きロッ
ド固定管１７の内部に軸方向に移動可能な引きロッド内管３６が取付けられている。両本
の引きロッド内管３６の一端同士は引きロッド３を介して接続されている。前記引きロッ
ド内管３６の引きロッド３に接続される一端に軸方向に沿って可動プラグが挿入配置され
ている。前記可動プラグ３８の外側端に引きロッド３の側壁に取付けられる解錠ボタン１
９が設置されている。該解錠ボタン１９は回転させながら可動プラグ３８を軸方向に移動
させることができる。前記引きロッド内管３６の他端に固定プラグ３９が取付けられてい
る。前記固定プラグ３９の内部に径方向に移動可能にスプリングボルト３１３が設置され
ている。前記スプリングボルト３１３の一端にばね３１２が取付けられ、またその他端が
引きロッド固定管１７の側壁のロック穴中に挿入している。前記固定プラグ３９の中に軸
方向に移動可能に解錠押しピン３１１が設置されている。前記解錠押しピン３１１の一端
は斜面を有し、スプリングボルト３１３の中部に挿入し、スプリングボルト３１３を径方
向に移動させることができる。前記解錠押しピン３１１の他端が接続軸３７を介して可動
プラグ３８に接続されている。
【００３０】
解錠する場合、解錠ボタン１９をまわして、回動させると、可動プラグ３８が軸方向に押
され移動させられ、こうして、接続軸３７により解錠押しピン３１１が軸方向に移動させ
られ、ひいては、スプリングボルト３１３が押され引っ込められ戻るようにできる。この
ように、引きロッド３により引きロッド内管３６を引きだすことは可能となり、引きロッ
ドの解錠引き伸びを実現する。
【００３１】
なお、前記解錠押しピン３１１に長尺状止め穴３１０が設置されている。前記固定プラグ
３９内の凸点が長尺状止め穴３１０中に嵌入されるように構成される。それによって解錠
押しピン３１１のスロトークを限定している。
【００３２】
前記引きロッド３の側壁に欠け口が設置されている。前記解錠ボタン１９は、この欠け口
に取付けられるとともに、回転軸によって欠け口の一端側壁に接続される。
【００３３】
ある実施例において、前記庫蓋２の裏側壁に少なくとも１つの凹溝２２が設置され、前記
凹溝２２内に果物切り板２７が取外可能に嵌入設置されている。前記凹溝２２の一端に回
動バッフル２３が取り付けられ、前記凹溝２２の他端の側壁に凸板２６が設置され、前記
果物切り板２７の両端が回動バッフル２３と凸板２６によって凹溝２２内において位置限
定される。前記凹溝２２の裏側底面に突起ブロック２５が均一に配置される。
【００３４】
使用する場合、果物切り板２７を凹溝２２中から取り出し、果物や他のものを果物切り板
２７上に置き、カットすればよい。果物切り板２７は、普通の家庭用切り板であってもよ
い。凹溝２２の大きさは果物切り板２７にマッチングしている。また凹溝２２が２つ、果
物切り板２７が１つまたは２つ備えられてもよい。
【００３５】
果物切り板２７の固定形態として、前記凹溝２２の一端に回動バッフル２３が取り付けら
れ、その他端側壁に凸板２６が設置されている。前記果物切り板２７の両端が回動バッフ
ル２３と凸板２６によって凹溝２２内に限定されることによって、さらに回動バッフル２
３を動くことにより果物切り板２７の着脱を実現できる。
【００３６】
回動バッフル２３を容易に取り付けるために、前記凹溝２２の一端に逃げ内凹溝が設置さ
れ、前記回動バッフル２３の一端が逃げ内凹溝の中部と枢接されている。
【００３７】
前記凹溝２２の裏側底面に突起ブロック２５が均一に配置され、前記突起ブロック２５が
四角錐台を呈し、突起ブロック２５の頂部が先状を呈するので、果物切り板２７に点接触
する。これによって、果物切り板２７の表面の乾燥を維持でき、細菌の繁殖を減少するこ
とができる。
【００３８】
前記冷蔵庫庫体１におけるローラ７のない一端の底部に隅保護板１６が取り付けられ、前
記隅保護板１６の裏側位置に横方向に隅保護凸台３５が設置され、前記隅保護凸台３５の
両側に斜面が配置されている。隅保護凸台３５によって、衝突されないように隅保護板１
６を有効的に保護することができる。
【００３９】
他の実施例において、前記庫蓋２の両端一側に回転軸２８が対称的に設置され、庫蓋２に
おける回転軸２８と反対側の中間部に反転スナップ蓋８が取り付けられる。前記反転スナ
ップ蓋８が冷蔵庫庫体１の上側の縁部にスナップ接続可能に構成される。前記冷蔵庫庫体
１の上部両側の裏側壁両端にそれぞれ差し縦溝１４が設置され、前記差し縦溝１４の底部
に円状溝１５が設置されている。前記回転軸２８のいずれか一端を差し縦溝１４に挿入し
て差し縦溝１４に沿って円状溝１５中に挿入嵌合することができる。庫蓋２は、左側開き
または右側開きが選択可能であり、汎用性がよい。
【００４０】
前記冷蔵庫庫体１の一側における電池室１０の下方に少なくともの２種類の電源ソケット
６が取り付けられ、その内部に充電管理ボードが取り付けられている。それによって電源
投入の方式を選択することができる。
【００４１】
前記冷藏室１２および／または冷凍室１１の内部に物置ブラケット１３が取り付けられて
いる。それによって物品を担持することができる。
【００４２】
上記では、実施形態を参照して本考案を説明したが、本考案の範囲から逸脱しない場合に
は、様々な改良がなされ、構成要素を等価物で置き換えることができる。特に、構造的衝
突が存在しない限り、本考案の開示した実施形態における各特徴は、任意の方法で互いに
結合して使用することができる。本明細書においてこれらの組み合わせを実施していない
場合の具体的な説明は、紙幅を省き、資源を節約することを考慮しただけである。したが
って、本考案は、本明細書に開示された特定の実施形態に限定されるものではなく、請求
項の範囲内に含まれるすべての技術案を含む。
【図１】
0003232572.tif 000003
【図２】
0003232572.tif 000004
【図３】
0003232572.tif 000005
【図４】
0003232572.tif 000006
【図５】
0003232572.tif 000007
【図６】
0003232572.tif 000008
【図７】
0003232572.tif 000009
【図８】
0003232572.tif 000010
【図９】
0003232572.tif 000011
【図１０】
0003232572.tif 000012
【図１１】
0003232572.tif 000013
【図１２】
0003232572.tif 000014
【図１３】
0003232572.tif 000015
【図１４】
0003232572.tif 000016
【図１５】
0003232572.tif 000017
【図１６】
0003232572.tif 000018